(57)【要約】      （修正有）【課題】蓋板と折曲片とからなる蓋部を閉じて、その後、揺動片の先端に連設された差込み片を蓋板と折曲片との間の差込み穴に挿通することにより蓋部の閉状態をロックするいわゆるダブルロック式の包装箱において、小さな力でも容易に蓋部を開けることができ、高齢者等の力の弱い者でも容易に蓋部を開けることができる包装箱を提供する。【解決手段】蓋板部４８の折曲片５０側の領域から折曲片５０の蓋板部４８側の領域に開口部が形成され、該開口部内に折曲片５０から折れ線Ｃ６を介して連設された突状部５２が形成され、蓋板部４８と折曲片５０間の折れ線に沿って開口部の両側から連設された溝部５６ａ、５６ｂが形成され、該溝部５６ａ、５６ｂと開口部における溝部５６ａと溝部５６ｂ間の領域とにより差込み片を差し込むための差込み部が構成される。【選択図】図３
0003164780.tif 000002
【実用新案登録請求の範囲】
【請求項１】
周壁の正面部の上端から下方に一対の切込みを形成することにより設けられた揺動片と、揺動片の先端に折れ線を介して連設された差込み片と、周壁の背面部の上端から連設された蓋板部と、蓋板部の先端に折れ線を介して連設され包装箱の閉状態では正面部の内側の面の内側に正面部と略平行に配置される折曲片と、蓋板部と折曲片の間の位置に設けられ差込み片を差し込むための差込み部とを有する包装箱において、
少なくとも蓋板部と折曲片とが１枚のシート状のブランクにより形成され、
蓋板部の折曲片側の領域から折曲片の蓋板部側の領域に開口部が形成され、該開口部内に折曲片から円弧形状の折れ線を介して突状部が連設され、該円弧形状の折れ線における円弧形状が突状部の側に膨出して形成され、
蓋板部と折曲片間の折れ線に沿って開口部の両側から連設された溝部が形成され、該一対の溝部と開口部における一対の溝部間の領域とにより差込み片を差し込むための差込み部が構成され、
差込み片を差込み部に差し込んだ状態では、突状部が差込み片に押されて折曲片に対して内側に曲げられた状態であり、差込み片を差込み部から引き出すことにより、突状部が起立することを特徴とする包装箱。
【請求項２】
開口部の縁部における突状部が連設された部分以外の領域は、突状部の辺部から間隔を介して設けられていることを特徴とする請求項１に記載の包装箱。
【請求項３】
包装箱が１枚のシート状のブランクにより形成されていることを特徴とする請求項１又は２に記載の包装箱。
【請求項４】
周壁の左右両側の側面部の上端からフラップ部が連設されていることを特徴とする請求項１又は２又は３に記載の包装箱。
【請求項５】
正面部と背面部と左右両側の側面部とを有する周壁における正面部の上端から下方に一対の切込みを形成することにより設けられた揺動片と、揺動片の先端に折れ線を介して連設された差込み片と、周壁の背面部の上端から連設された蓋板部と、蓋板部の先端に折れ線を介して連設され包装箱の閉状態では正面部とフラップ部の間に差し込まれることにより正面部の内側の面の内側に正面部と略平行に配置される折曲片と、蓋板部と折曲片の間の位置に設けられ差込み片を差し込むための差込み部と、周壁の左右両側の側面部の上端から連設されたフラップ部を有する包装箱において、
包装箱が１枚のシート状のブランクにより形成され、
蓋板部の折曲片側の領域から折曲片の蓋板部側の領域に開口部が形成され、該開口部内に折曲片から円弧形状の折れ線を介して突状部が連設され、該円弧形状の折れ線における円弧形状が突状部の側に膨出して形成され、
蓋板部と折曲片間の折れ線に沿って開口部の両側から連設された溝部が形成され、該一対の溝部と開口部における一対の溝部間の領域とにより差込み片を差し込むための差込み部が構成され、
開口部の縁部における突状部が連設された部分以外の領域は、突状部の辺部から間隔を介して設けられ、
差込み片を差込み部に差し込んだ状態では、突状部が差込み片に押されて折曲片に対して内側に曲げられた状態であり、差込み片を差込み部から引き出すことにより、突状部が起立することを特徴とする包装箱。
【考案の詳細な説明】
【技術分野】
【０００１】
本考案は、包装箱に関するものであり、特に、包装箱の蓋を閉状態でロックするロック機構に関するものである。
【背景技術】
【０００２】
従来より、図８〜図１１に示す構成のいわゆるダブルロック式の包装箱１０５が存在する。この包装箱１０５は、右側面部１１２と、正面部１１４と、左側面部１２４と、背面部１２６と、糊代部１２７とからなる側面部１１０と、フラップ部１４２、１４４と、蓋部１４６とからなる上面部１４０と、片部１６２〜１６８からなる底面部１６０により構成され、正面部１１４は、上端に切欠部を有する正面部本体１１６と、該切欠部内に設けられ横方向の折れ線を中心に揺動する揺動片１１８とを有するとともに、揺動片１１８の先端には、差込み片１２８が折れ線を介して連設され、また、蓋部１４６は、背面部１２６の上端から連設された蓋板１４８と折曲片１５４とを有し、蓋板１４８と折曲片１５４の間の位置には、切込みＫ１５による差込み穴１５６が形成されている。
【０００３】
そして、蓋部１４６を閉状態でロックするには、折曲片１５４を正面部１１４の内側に接するようにして蓋部１４６を閉じるとともに、差込み片１２８を切込みＫ１５により形成された差込み穴１５６に挿通する。蓋部１４６を閉状態でロックした状態は、図８に示すようになり、折曲片１５４は、その全体が正面部１１４と揺動片１１８の内側に隠れた状態となっている。このように、差込み片１２８を差込み穴１５６に挿通できる程度に蓋部１４６が閉じた状態、つまり、折曲片１５４の全体が正面部１１４と揺動片１１８の内側に隠れた状態を「蓋部１４６が完全に閉じた状態」とする。
【０００４】
蓋部１４６が閉状態でロックされた包装箱１０５において蓋部を開けるには、揺動片１１８がその上端に有する突出部１２０に指を当てて揺動片１１８を外側に揺動させて差込み片１２８を差込み穴１５６から引き出す。図１１は、差込み片１２８を引き出した状態を示している。差込み片１２８を差込み穴１５６から引き出したら、蓋部１４６を上方に回動させて蓋部１４６を開状態とするが、その際、切込みＫ１５により蓋板１４８の折曲片１５４側の端部に突出して形成された突出部１５０や半円状の開口部Ｋ１６の位置に指を係止させて、蓋部１４６の正面側の端部を上方に引き出して、図９に示すような開状態とする。
【０００５】
なお、出願人は、先行技術文献として、特許文献１、特許文献２に示す文献を知得している。
【先行技術文献】
【特許文献】
【０００６】
【特許文献１】特開２００９−１３７６０６号公報
【特許文献２】特開２００７−１６８８６８号公報
【考案の概要】
【考案が解決しようとする課題】
【０００７】
しかし、図８〜図１１に示す従来のダブルロック式の包装箱においては、差込み片１２８を差込み穴１５６から引き出した状態でも、蓋部１４６は、閉状態でロックされた状態と変わらず閉じたままであり、折曲片１５４はその全体が依然として正面部１１４と揺動片１１８の内側に隠れた状態となっている。
【０００８】
従って、蓋部１４６を引き出すには、蓋部１４６が完全に閉じた状態から引き出す必要があり、特に、折曲片１５４が正面部１１４とフラップ部１４２、１４４に挟まれた状態となっているので、引き出すのに大きな力が必要となり、力の弱い高齢者や障害者が突出部１５０や半円状の開口部Ｋ１６の位置に指を係止させて開けるのは困難であり、ダブルロック式の包装箱を容易に開けることができなかった。また、爪の長い者も爪を突出部１５０に係止させて蓋部１４６を引き上げようとすると、大きな力が必要であるために爪を痛めてしまうという問題があった。
【０００９】
そこで、本考案が解決しようとする問題点は、蓋板と折曲片とからなる蓋部を閉じて、その後、揺動片の先端に連設された差込み片を蓋板と折曲片との間の差込み穴に挿通することにより蓋部の閉状態をロックするいわゆるダブルロック式の包装箱において、小さな力でも容易に蓋部を開けることができ、高齢者等の力の弱い者でも容易に蓋部を開けることができる包装箱を提供することである。
【課題を解決するための手段】
【００１０】
本考案は上記問題点を解決するために創作されたものであって、第１には、周壁の正面部の上端から下方に一対の切込みを形成することにより設けられた揺動片と、揺動片の先端に折れ線を介して連設された差込み片と、周壁の背面部の上端から連設された蓋板部と、蓋板部の先端に折れ線を介して連設され包装箱の閉状態では正面部の内側の面の内側に正面部と略平行に配置される折曲片と、蓋板部と折曲片の間の位置に設けられ差込み片を差し込むための差込み部とを有する包装箱において、少なくとも蓋板部と折曲片とが１枚のシート状のブランクにより形成され、蓋板部の折曲片側の領域から折曲片の蓋板部側の領域に開口部が形成され、該開口部内に折曲片から円弧形状の折れ線を介して突状部が連設され、該円弧形状の折れ線における円弧形状が突状部の側に膨出して形成され、蓋板部と折曲片間の折れ線に沿って開口部の両側から連設された溝部が形成され、該一対の溝部と開口部における一対の溝部間の領域とにより差込み片を差し込むための差込み部が構成され、差込み片を差込み部に差し込んだ状態では、突状部が差込み片に押されて折曲片に対して内側に曲げられた状態であり、差込み片を差込み部から引き出すことにより、突状部が起立することを特徴とする。
【００１１】
この第１の構成の包装箱においては、蓋板部と折曲片とからなる蓋部を閉状態でロックするには、折曲片を正面部の内側に差し込んで正面部の内側の面の内側に正面部と略平行に配置させて蓋部を閉じるとともに、差込み片を溝部に挿通する。その際、差込み片により突状部を押し込むことにより、突状部が差込み片の下側になって、折曲片に押されて折曲片に対して内側に曲げられた状態となる。
【００１２】
次に、蓋部が閉状態でロックされた包装箱において蓋部を開ける場合には、揺動片を溝部から引き出すと、差込み片により押さえられていた突状部が折曲片に対して内側に曲げられた状態から起立してくる。
【００１３】
その後は、突状部をつかんで上方に引っぱることにより、折曲片を容易に引き上げることができ、容易に蓋部を開けることができる。特に、突状部を手でつかんで引き上げるので、大きな力で引っぱることができ、力の弱い高齢者や障害者でも容易に開けることができる。また、突状部が円弧形状の折れ線を介して折曲片から連設されているので、突状部が起立し、突状部をつかみやすくなり、その点でも容易に蓋部を開けることができる。
【００１４】
また、第２には、上記第１の構成において、開口部の縁部における突状部が連設された部分以外の領域は、突状部の辺部から間隔を介して設けられていることを特徴とする。よって、突状部が起立する際に開口部の辺部に接触して起立の支障となることがない。
【００１５】
また、第３には、上記第１又は第２の構成において、包装箱が１枚のシート状のブランクにより形成されていることを特徴とする。
【００１６】
また、第４には、上記第１から第３までのいずれかの構成において、周壁の左右両側の側面部の上端からフラップ部が連設されていることを特徴とする。
【００１７】
また、第５には、正面部と背面部と左右両側の側面部とを有する周壁における正面部の上端から下方に一対の切込みを形成することにより設けられた揺動片と、揺動片の先端に折れ線を介して連設された差込み片と、周壁の背面部の上端から連設された蓋板部と、蓋板部の先端に折れ線を介して連設され包装箱の閉状態では正面部とフラップ部の間に差し込まれることにより正面部の内側の面の内側に正面部と略平行に配置される折曲片と、蓋板部と折曲片の間の位置に設けられ差込み片を差し込むための差込み部と、周壁の左右両側の側面部の上端から連設されたフラップ部を有する包装箱において、包装箱が１枚のシート状のブランクにより形成され、蓋板部の折曲片側の領域から折曲片の蓋板部側の領域に開口部が形成され、該開口部内に折曲片から円弧形状の折れ線を介して突状部が連設され、該円弧形状の折れ線における円弧形状が突状部の側に膨出して形成され、蓋板部と折曲片間の折れ線に沿って開口部の両側から連設された溝部が形成され、該一対の溝部と開口部における一対の溝部間の領域とにより差込み片を差し込むための差込み部が構成され、開口部の縁部における突状部が連設された部分以外の領域は、突状部の辺部から間隔を介して設けられ、差込み片を差込み部に差し込んだ状態では、突状部が差込み片に押されて折曲片に対して内側に曲げられた状態であり、差込み片を差込み部から引き出すことにより、突状部が起立することを特徴とする。
【００１８】
この第５の構成の包装箱においては、蓋板部と折曲片とからなる蓋部を閉状態でロックするには、折曲片を正面部とフラップ部の間に差し込んで正面部の内側の面の内側に正面部と略平行に配置させて蓋部を閉じるとともに、差込み片を溝部に挿通する。その際、差込み片により突状部を押し込むことにより、突状部が差込み片の下側になって、折曲片に押されて折曲片に対して内側に曲げられた状態となる。
【００１９】
次に、蓋部が閉状態でロックされた包装箱において蓋部を開ける場合には、揺動片を溝部から引き出すと、差込み片により押さえられていた突状部が折曲片に対して内側に曲げられた状態から起立してくる。
【００２０】
その後は、突状部をつかんで上方に引っぱることにより、折曲片を容易に引き上げることができ、容易に蓋部を開けることができる。特に、突状部を手でつかんで引き上げるので、大きな力で引っぱることができ、力の弱い高齢者や障害者でも容易に開けることができる。また、突状部が円弧形状の折れ線を介して折曲片から連設されているので、突状部が起立し、突状部をつかみやすくなり、その点でも容易に蓋部を開けることができる。
【００２１】
また、開口部の縁部における突状部が連設された部分以外の領域は、突状部の辺部から間隔を介して設けられているので、突状部が起立する際に開口部の辺部に接触して起立の支障となることがない。
【００２２】
なお、上記各構成において、折曲片から円弧形状の折れ線を介して連設された突状部が略半円形状であることを特徴とするものとしてもよい。また、上記各構成において、開口部は、略半円状を呈していることを特徴とするものとしてもよい。
【考案の効果】
【００２３】
本考案に基づく包装箱によれば、突状部を手でつかんで引き上げるので、大きな力で引っぱることができ、力の弱い高齢者や障害者でも容易に開けることができる。また、突状部が円弧形状の折れ線を介して折曲片から連設されているので、突状部が起立し、突状部をつかみやすくなり、その点でも容易に蓋部を開けることができる。よって、ダブルロック式の包装箱において、小さな力でも容易に蓋部を開けることができ、高齢者等の力の弱い者でも容易に蓋部を開けることができる。
【図面の簡単な説明】
【００２４】
【図１】包装箱の斜視図である。
【図２】包装箱の使用状態を示す斜視図である。
【図３】包装箱の使用状態を示す斜視図である。
【図４】包装箱の展開図である。
【図５】包装箱の要部展開図である。
【図６】包装箱の要部を説明するための説明図である。
【図７】包装箱の使用状態を示す説明図である。
【図８】従来の包装箱の斜視図である。
【図９】従来の包装箱の蓋部を開いた状態の斜視図である。
【図１０】従来の包装箱の展開図である。
【図１１】従来の包装箱の使用状態を示す斜視図である。
【考案を実施するための形態】
【００２５】
本考案においては、蓋板と折曲片とからなる蓋部を閉じて、その後、揺動片の先端に連設された差込み片を蓋板と折曲片との間の差込み穴に挿通することにより蓋部の閉状態をロックするいわゆるダブルロック式の包装箱において、小さな力でも容易に蓋部を開けることができ、高齢者等の力の弱い者でも容易に蓋部を開けることができる包装箱を提供するという目的を以下のようにして実現した。
【００２６】
本考案に基づく包装箱５は、図１〜図６に示すように構成され、スリーブ状部１０と、上面部４０と、底面部６０とを有し、１枚のシート状のブランク（具体的には、段ボール材（好適には、薄型段ボール材）又は厚紙）により形成されている。
【００２７】
スリーブ状部１０は、包装箱５の周壁（側面としてもよい）を構成し、方形状の板状の右側面部１２と、右側面部１２の正面側の辺部から折れ線を介して連設された正面部１４と、正面部１４の左側面側の辺部から折れ線を介して連設された方形状の板状の左側面部３０と、左側面部３０の背面側の辺部から折れ線を介して連設され方形状の板状の背面部３２と、背面部３２の右側面側の辺部から折れ線を介して連設された糊代部３４と、差込み片２８とを有している。
【００２８】
ここで、正面部１４は、正面部本体１６と、揺動片１８とを有している。正面部本体１６は、方形状の上端の左右方向の中央位置に切欠部を有する形状を有している。この切欠部の形状は、後述する揺動片１８と略同一の形状となっている。
【００２９】
また、揺動片１８は、正面部本体１６に形成された切欠部内に折れ線及び切込みを介して形成されている。
【００３０】
揺動片１８は、略方形状を呈し、左右両側においては、互いに平行な切込みＫ１、Ｋ２を介して正面部本体１６と隣接し、揺動片１８の下端においては、折れ線Ｃ１を介して正面部本体１６から連設されている。また、揺動片１８の上端においては、折れ線Ｃ２、Ｃ３と切込みＫ３とを介して差込み片２８と連設されている。
【００３１】
ここで、切込みＫ１、Ｋ２は、上下方向（正面部本体１６の上端辺に対して直角な方向）に形成されている。この切込みＫ１、Ｋ２は、第１切込み群に当たる。折れ線Ｃ１、Ｃ２、Ｃ３は、左右方向（正面部本体１６の上端辺に対して平行な方向）に形成されている。折れ線Ｃ２と折れ線Ｃ３とは、同一直線上に配設され、折れ線Ｃ２の長さと折れ線Ｃ３の長さは略同一となっている。折れ線Ｃ１は、切込みＫ１の下端と切込みＫ２の下端から切込みＫ１、Ｋ２に対して直角方向に連設されている。切込みＫ１の長さと切込みＫ２の長さは略同一となっている。
【００３２】
また、差込み片２８は、揺動片１８の先端（折れ線Ｃ１とは反対側の端部）から左右方向の折れ線Ｃ２、Ｃ３を介して連設され、略方形状（方形状の先端の両側の角部を面取りした形成）を呈している。この差込み片２８の両側の辺部は、切込みＫ１、Ｋ２の延長線上に形成されている。また、図４に示す展開状態において、折れ線Ｃ２、Ｃ３は、正面部本体１６の上端の辺部と同一直線上に形成されている。また、折れ線Ｃ２と折れ線Ｃ３間には、略コ字状の切込みＫ３が形成され、この切込みＫ３により、揺動片１８は、上端に突出部２０を有している。
【００３３】
また、左側面部３０は、右側面部１２と略同大同形状に形成されている。また、背面部３２は、正面部１４と略同大同形状に形成されている。また、糊代部３４は、帯状の台形形状に形成されている。糊代部３４は、右側面部１２の内側の面に接着されている。
【００３４】
このスリーブ状部１０は、糊代部３４を右側面部１２に接着させることにより、筒状に形成される。
【００３５】
次に、上面部４０は、フラップ部４２と、フラップ部４４と、蓋部４６と、突状部５２とを有している。
【００３６】
フラップ部４２は、右側面部１２の上端から折れ線を介して連設され、略方形状を呈している。フラップ部４２の右側面部１２の上端から反対側の辺部までの長さは、正面部１４や背面部３２の左右方向の長さの１／２以下の長さに形成されている。
【００３７】
また、フラップ部４４は、左側面部３０の上端から折れ線を介して連設され、略方形状を呈している。フラップ部４４の左側面部３０の上端から反対側の辺部までの長さは、正面部１４や背面部３２の左右方向の長さの１／２以下の長さに形成されている。
【００３８】
また、蓋部４６は、背面部３２の上端の辺部から折れ線を介して連設され、背面部３２の上端の辺部から折れ線を介して連設された蓋板部４８と、蓋板部４８の背面部３２とは反対側の辺部から連設された折曲片５０とを有している。
【００３９】
蓋板部４８は、略方形状の板状を呈し、左右方向の長さは背面部３２の左右方向の長さと略同一であり、背面部３２の上端の辺部から反対側の辺部（折れ線Ｃ４、Ｃ５）までの長さは、右側面部１２や左側面部３０の横方向の長さと略同一となっている。
【００４０】
また、折曲片５０は、蓋板部４８の先端（背面部３２の上端の辺部とは反対側の端部）から左右方向の折れ線Ｃ４、Ｃ５を介して連設され、略横長長方形状の先端の両側の角部にアールを形成した形状となっている。折れ線Ｃ４と折れ線Ｃ５とは、同一直線上に形成されている。
【００４１】
ここで、蓋板部４８の折曲片５０側の領域から折曲片５０の蓋板部４８側の領域にかけて左右方向の略中央の位置に略三日月形状の開口部５４が形成されている。この開口部５４は、蓋板部４８と折曲片５０とを１枚の平板状にした場合に（図４参照）、略三日月状を呈している。すなわち、開口部５４は、蓋板部４８の折曲片５０側の領域に形成された略三日月形状の切欠部５４ａと、折曲片５０の蓋板部４８側の領域に形成された一対の溝状の切欠部５４ｂとから構成されていて、略三日月形状の切欠部５４ａの両側の端部は折曲片５０側に形成され、一対の溝状の切欠部５４ｂにおける各切欠部５４ｂは、略三日月形状の切欠部５４ａの両側の端部からそれぞれ連設されている。
【００４２】
また、蓋板部４８と折曲片５０間の境界位置には、横溝部（溝部）５６ａ、５６ｂが形成され、横溝部５６ａは、開口部５４の右側面側から連設され、横溝部５６ｂは、開口部５４の左側面側から連設されている。横溝部５６ａ、５６ｂは、横長の略長方形状を呈し、横溝部５６ａは、折れ線Ｃ４の延長線上に形成され、横溝部５６ｂは、折れ線Ｃ５の延長線上に形成されている。この横溝部５６ａ、５６ｂには、差込み片２８が差し込まれる。横溝部５６ａ、５６ｂと開口部Ｋａ（後述）の一部（開口部Ｋａにおける横溝部５６ａと横溝部５６ｂ間の領域）により差込み片を差し込むための差込み部が構成される。
【００４３】
また、上記のように、蓋板部４８から折曲片５０にかけて略三日月状の開口部５４が形成されていることにより、折曲片５０からは略半円状の突状部５２が円弧形状の折れ線Ｃ６を介して蓋板部４８側に向けて連設されている。つまり、突状部５２は、略半円状を呈し、折曲片５０とは円弧形状の折れ線Ｃ６を介して連設されている。折れ線Ｃ６は、円弧形状を呈し、該円弧形状は、突状部５２の側に膨出した（膨らんだ）形状となっている。つまり、折れ線Ｃ６は、突状部５２の側に膨出した円弧形状となっている。なお、突状部５２の基端部分の両側は、折曲片５０と切込みＫ４、Ｋ５を介して隣接している。折れ線Ｃ６は、切込みＫ４、Ｋ５の奥側の端部の間に形成されている。この突状部５２は、折曲片５０の左右方向における略中央位置に設けられている。また、突状部５２の折れ線Ｃ６から先端までの長さ（折れ線Ｃ４、Ｃ５に対して直角方向の長さ）は、突状部５２が起立した際に、蓋板部４８の上面よりも上方に突出する長さに形成されている。
【００４４】
なお、蓋板部４８自体の形状としては、蓋板部４８の折曲片５０側の領域に以下の形状の切欠部Ｋｂが形成されているといえる。
【００４５】
つまり、図５に示すように、蓋板部４８に形成される切欠部Ｋｂは、横溝部５６ａを構成する鉤状の辺部４８ａと、辺部４８ａから連設された辺部で略三日月形状の切欠部５４ａを構成する略半円状の円弧からなる辺部４８ｂと、辺部４８ｂから連設された辺部で横溝部５６ｂを構成する鉤状の辺部４８ｃとから構成される切欠部であるといえる。
【００４６】
また、折曲片５０自体の形状としては、折曲片５０の蓋板部４８側の領域に以下の形状の切欠部Ｋｃが形成されているといえる。
【００４７】
つまり、図５に示すように、折曲片５０に形成される切欠部Ｋｃは、横溝部５６ａを構成する鉤状の辺部５０ａと、辺部５０ａから連設された辺部で溝状の切欠部５４ｂを構成する鉤状の辺部５０ｂと、辺部５０ｂから連設された辺部で切込みＫ４に対応し折れ線Ｃ４、Ｃ５の方向とは略直角の辺部５０ｃと、辺部５０ｃから連設された辺部で円弧形状の折れ線Ｃ６に対応する辺部５０ｄと、辺部５０ｄから連設された辺部で切込みＫ５に対応し折れ線Ｃ４、Ｃ５の方向とは略直角の辺部５０ｅと、辺部５０ｅから連設された辺部で溝状の切欠部５４ｂを構成する鉤状の辺部５０ｆと、辺部５０ｆから連設された辺部で横溝５６ｂを構成する鉤状の辺部５０ｇとから構成される切欠部であるといえる。
【００４８】
そして、蓋板部４８に形成された切欠部Ｋｂと折曲片５０に形成された切欠部Ｋｃとにり開口部Ｋａが形成され、この開口部Ｋａ内に折曲片５０から突状部５２が連設されているといえる。この開口部Ｋａは、略半円状を呈しているといえる。なお、図５は、蓋板部４８と折曲片５０の形状を説明するために、突状部５２の構成を省略して描いている。
【００４９】
また、上記のように略三日月状の開口部５４が形成されているので、開口部Ｋａの辺部（縁部）における突状部５２が連設された部分以外の領域は、突状部５２の辺部とは間隔が設けられているといえる。このように間隔が設けられているので、突状部５２が後述のように起立する際に開口部の辺部（縁部）に接触して起立の支障となることがない。
【００５０】
また、底面部６０は、片部６２と、片部６４と、片部６６と、片部６８とを有している。
【００５１】
片部６２は、右側面部１２の下端から折れ線を介して連設され、台形形状（両側の側辺のうち一方の側辺が右側面部１２の下辺に対して直角の台形形状）の先端に略方形状を連設した形状を呈している。また、片部６４は、正面部１４の下端から折れ線を介して連設され、方形状の先端側において略方形状の切欠部を形成した形状を呈している。また、片部６６は、左側面部３０の下端から折れ線を介して連設され、片部６２に対して対称（線対称）の形状を呈している。また、片部６８は、背面部３２の下端から折れ線を介して連設され、台形形状（両側の側辺が背面部３２の下辺に対して傾斜した台形形状）の先端に略方形状を連設した形状を呈している。このような底面部６０は、Ｂ式底組みタイプと呼ばれていて、アメリカンロック又は地獄底とも呼ばれている。
【００５２】
上記構成の包装箱５の使用状態について説明する。まず、蓋部４６を閉状態でロックするには、折曲片５０を正面部１４の内側の面に正面部１４と略平行に配置され正面部１４の内側の面に接するように正面部１４の内側に差し込んで蓋部４６を閉じるとともに、差込み片２８を横溝部５６ａ、５６ｂに挿通する。差込み片２８により突状部５２を押し込んで、突状部５２が差込み片２８の下側になるようにすることにより、図６（ａ）に示すように、突状部５２は、差込み片２８の下側の面に接して差込み片２８に押されて折曲片５０に対して内側に曲げられた状態となる。つまり、従来からのダブルロック式の包装箱と同様の操作で蓋部４６を閉状態でロックすることができる。蓋部４６を閉状態でロックした状態は、図１、図６（ａ）に示すようになり、折曲片５０は正面部１４と揺動片１８の内側に隠れた状態となっている。
【００５３】
次に、蓋部４６が閉状態でロックされた包装箱５において蓋部４６を開ける場合の操作及び作用について説明する。
【００５４】
まず、揺動片１８の上端に突出して設けられた突出部２０に指を当てて揺動片１８の上端を外側に揺動させて差込み片２８を横溝部５６ａ、５６ｂから引き出す。
【００５５】
すると、差込み片２８により押さえられていた突状部５２が露出し、折曲片５０に対して内側に曲げられた状態から起立してくる。つまり、突状部５２は、折曲片５０と円弧形状の折れ線Ｃ６を介して連設されているので、突状部５２は折曲片５０と面一の状態（同一平面の状態）に復帰しようとして起立してくる。特に、突状部５２が円弧形状の折れ線Ｃ６を介して折曲片５０と連設しているので、例えば、横方向の直線状の折れ線の場合と比べても面一の状態に復帰しようとする力が大きい。また、突状部５２が起立した際に、突状部５２は、蓋板部４８の上面よりも上方に突出する。すなわち、突状部５２の折れ線Ｃ６から先端までの長さは、突状部５２が起立した際に、蓋板部４８の上面よりも上方に突出する長さに形成する。
【００５６】
その後は、突状部５２をつかんで上方に引っぱることにより、折曲片５０を容易に引き上げることができ、蓋部４６を開けることができる（図３参照）。特に、突状部５２を手でつかんで引き上げるので、図７〜図１０に示す従来例のように指を突出部１５０や半円状の開口部Ｋ１６の位置に係止して開ける場合に比べて大きな力で引っぱることができ、力の弱い高齢者や障害者でも容易に開けることができる。また、突状部５２が起立するので、突状部５２をつかみやすくなり、その点でも容易に蓋部４６を開けることができる。
【００５７】
以上のように、本実施例の包装箱においては、いわゆるダブルロック式の包装箱において、小さな力でも容易に蓋部を開けることができ、高齢者等の力の弱い者でも容易に蓋部を開けることができる。
【符号の説明】
【００５８】
５ 包装箱
１０ スリーブ状部
１２ 右側面部
１４ 正面部
１６ 正面部本体
１８ 揺動片
２０ 突出部
２８ 差込み片
３０ 左側面部
３２ 背面部
３４ 糊代部
４０ 上面部
４２、４４ フラップ部
４６ 蓋部
４８ 蓋板部
５０ 折曲片
５２  突状部
５４、Ｋａ  開口部
５４ａ、５４ｂ、Ｋｂ、Ｋｃ  切欠部
５６ａ、５６ｂ  横溝部
Ｃ１、Ｃ２、Ｃ３、Ｃ４、Ｃ５、Ｃ６  折れ線
【図１】
0003164780.tif 000003
【図２】
0003164780.tif 000004
【図３】
0003164780.tif 000005
【図４】
0003164780.tif 000006
【図５】
0003164780.tif 000007
【図６】
0003164780.tif 000008
【図７】
0003164780.tif 000009
【図８】
0003164780.tif 000010
【図９】
0003164780.tif 000011
【図１０】
0003164780.tif 000012
【図１１】
0003164780.tif 000013